(57)【要約】【課題】コップ付き携帯水筒のコップの飲み口は露出しており、汚れた手に触れるので不衛生であった。また、左手に水筒、右手にお湯の入ったコップを持つと、両手がふさがってしまった。ステンレスボトルは直接口を付けて飲むので、ボトルに残った液に雑菌が繁殖しやすかった。コップの飲み口が汚れることなく、両手がふさがることなく、残ったステンレスボトル内の液に雑菌が繁殖することのないコップ付き携帯水筒を提供する。【解決手段】栓ユニットに注ぎ口を設け、注ぎ口に栓を設け、栓に栓の注ぎ口と栓レバーを設け、コップの外側に飲み口寄りから下方に向かってのびるフックを設け、水筒本体胴部外周壁の開口部から少し下がった辺りの任意の箇所にフックを嵌め差す桟を設け、注ぎ口を同心円状に周回するコップ収納台を設け、コップを覆い被さる様に蓋を設け、蓋の天井中心部にコップ押さえパッキンを設けたことを特徴とするコップ付き携帯水筒。【選択図】図５
2015107296.tif 000002
【特許請求の範囲】
【請求項１】
栓ユニットに注ぎ口を設け、注ぎ口に栓を設け、栓に栓の注ぎ口と栓レバーを設け、コップの外側に飲み口寄りから下方に向かってのびるフックを設け、水筒本体胴部外周壁の開口部から少し下がった辺りの任意の箇所にフックを嵌め差す桟を設け、注ぎ口を同心円状に周回するコップ収納台を設け、コップを覆い被さる様に蓋を設け、蓋の天井中心部にコップ押さえパッキンを設けたことを特徴とするコップ付き携帯水筒。
【発明の詳細な説明】
【技術分野】
【０００１】  本発明は、保温水や保冷水等を飲む為のコップ付き携帯水筒に関するものである。
【背景技術】
【０００２】  従来、屋外で保温水を飲む為には、コップ付き携帯水筒が利用されていた。保冷水や常温水を飲む為には、直接口を付けて飲むステンレスボトルが利用されていた。
【発明の概要】
【発明が解決しようとする課題】
【０００４】  屋外で保温水を飲もうとすると、熱くて水筒から直接飲めないので、コップ付携帯水筒が利用される。ところが、
（イ）コップ付き携帯水筒の上部に設置されているコップの飲み口は露出しており、汚れた手に触れるので不衛生であった。
（ロ）屋外では、コップや水筒の置き場所を確保できないことが多い。左手に水筒、右手にお湯の入ったコップを持つと、両手がふさがってしまい、コップの中のお湯を飲み干すまで片手をあけることが出来ないので、蚊が寄ってきても追い払う事ができないし、また、スナックをつまむ事も出来なかった。
（ハ）屋外で保冷水や常温水を飲む為にステンレスボトルが利用されるが、ボトルの飲み口に直接口を付けて飲むので、ボトル内に残った液に雑菌が繁殖しやすかった。
本発明は以上の問題点を解決するものである。
【課題を解決するための手段】
【０００５】  栓ユニットに注ぎ口を設け、注ぎ口に栓を設け、栓に栓の注ぎ口と栓レバーを設け、コップの外側に飲み口寄りから下方に向かってのびるフックを設け、水筒本体胴部外周壁の開口部から少し下がった辺りの任意の箇所にフックを嵌め差す桟を設け、注ぎ口を同心円状に周回するコップ収納台を設け、コップを覆い被さる様に蓋を設け、蓋の天井中心部にコップ押さえパッキンを設ける。
以上の構成よりなるコップ付き携帯水筒。
【発明の効果】
【０００６】  本発明により、初めて快適に水筒を使用することができるようになった。即ち、
（イ）コップは蓋により保護されているので、露出しておらず汚れ難い。
（ロ）左手に水筒を持ち、その水筒にコップを保持させる事が出来るので、右手が空き、蚊を追い払ったり、スナックをつまんだりすることも出来る。
（ハ）保冷水や常温水を飲む場合でも、ボトルの飲み口に直接口を付けて飲まずに、コップで飲むことができるので、ボトル内に残った液に雑菌が繁殖しにくい。
【図面の簡単な説明】
【０００７】
【図１】本発明の外観斜視図
【図２】本発明において、蓋を開けた状態を示す部分斜視図
【図３】本発明において、コップを外した状態を示す部分斜視図
【図４】本発明の一部であるコップの斜視図
【図５】本発明において、コップを水筒本体胴部外周壁の桟にセットした状態を示す斜視図
【図６】本発明の一部であるフックと、取っ手が、対向的位置関係にある、コップの斜視図
【図７】本発明の一部であるフックと、取っ手が、直角の位置関係にある、コップの斜視図
【図８】本発明の一部であるフックを、取っ手に設けた、コップの斜視図
【図９】本発明の一部である桟を、水筒本体胴部外周壁の全周に設けた状態を示す斜視図
【図１０】本発明の一部である桟を、水筒本体胴部外周壁に、複数個設けた状態を示す斜視図
【図１１】本発明の一部であるコップに、底足を設けた状態を示す斜視図
【図１２】本発明の一部である栓ブロックの斜視図
【図１３】本発明において、コップ底足を栓ブロックにセットした状態を示す斜視図
【図１４】本発明において、底足付きのコップを、栓ブロックに収納した状態を示す斜視図
【発明を実施するための形態】
【０００８】  以下、本発明の実施の形態を説明する。
（イ）栓ユニット（２）に注ぎ口（１３）を設け、注ぎ口（１３）に栓（１１）を設ける（図３）。
（ロ）栓（１１）に栓の注ぎ口（１４）と栓レバー（１５）を設ける（図３）。
（ハ）コップ（７）の外側に飲み口（９）寄りから下方に向かってのびるフック（８）を設け（図４）、水筒本体胴部外周壁（１）の開口部から少し下がった辺りの任意の箇所にフック（８）を嵌め差す桟（６）を設ける（図１）。
（ニ）注ぎ口（１３）を同心円状に周回するコップ収納台（１０）を設ける（図３）。
（ホ）コップ（７）を覆い被さる様に蓋（３）を設け、蓋（３）の天井中心部にコップ押さえパッキン（１２）を設ける（図３）。
本発明は以上のような構造である。
本発明を使用するときは、
（ヘ）水筒本体胴部外周壁（１）を左手に持ち、右手で安全ロックレバー（５）を手前に引いてロックを外す（図１）。
（ト）右手でプッシュボタン（４）を押すと、キックバネにより蓋（３）がひらく（図２）。
（チ）コップ（７）を右手でつかみ、コップ収納台（１０）から外す（図２）。
（リ）栓レバー（１５）をあけ、栓の注ぎ口（１４）より湯をコップ（７）に注ぐ（図３）。
（ヌ）注ぎ終わったら、栓レバー（１５）を閉める（図３）。
（ル）右手に持ったコップ（７）で湯を飲む。
（オ）飲み終る前に右手を空けるなら、水筒本体胴部外周壁の桟（６）にコップ（７）のフック（８）を掛ける（図５）。右手が空いたので蚊を追い払ったり、スナックをつまめる。
（ワ）お湯を飲み終わったら、栓（１１）の上からコップ（７）をかぶせて、コップ収納台（１０）に収納する（図２、図３）。
（カ）蓋（３）を手前に倒して、蓋をする。コップは保護されたので汚れる事はない。
（ヨ）安全ロックレバー（５）で蓋が開かないようにロックする（図１）。
（タ）この様に使用するので、コップ（７）は飲用時以外露出していないので汚れない。
（レ）コップ（７）は蓋（３）で保護されているので、衝撃に弱い陶磁器もコップ材として使用できる。
（ソ）コップ（７）は栓ユニット（２）から分離して清掃することが出来るので、衛生的である。
（ツ）コップ（７）にフック（８）と取っ手（１６）を付けてもよい。フック（８）と取っ手（１６）は任意の位置関係でよい。フック（８）と取っ手（１６）が、コップ（７）を中心として、対向的位置関係にある（図６）。フック（８）と取っ手（１６）が、コップ（７）を中心として、直角関係にある（図７）。
（ネ）コップ（７）に取っ手（１６）を付け、取っ手（１６）にフック（８）を付けてもよい（図８）。
（ナ）水筒本体胴部外周壁（１）の全周に桟（６）を付けてもよい（図９）。
（ラ）水筒本体胴部外周壁（１）に複数個の桟（６）を付けてもよい（図１０）。
（ム）コップを持っている片手を空ける為に、次の方法でもよい。
コップ底（１７）に、コップ底足（１８）を設ける（図１１）。
（図３）のコップ収納台（１０）、注ぎ口（１３）、栓（１１）をひとつにまとめた栓ブロック（１９）を設け（図１２）、栓ブロック（１９）は、コップ底足（１８）及び、飲み口（９）と嵌合する形とする。
これを使用するときは、お湯の入ったコップ（７）の、コップ底足（１８）を、栓ブロック（１９）に嵌めあう（図１３）。これで、コップ（７）を持つ手が空いた。
お湯を飲み終わったら、コップ（７）の飲み口（９）の方から栓ブロック（１９）に被せて収納する（図１４）。
【符号の説明】
【０００９】１  水筒本体胴部外周壁、  ２  栓ユニット、  ３  蓋、  ４  プッシュボタン、
５  安全ロックレバー、  ６  桟、  ７  コップ、  ８  フック、  ９  飲み口、
１０  コップ収納台、  １１  栓、  １２  コップ押さえパッキン、  １３  注ぎ口、
１４  栓の注ぎ口、  １５  栓レバー、  １６  取っ手、  １７  コップ底、
１８  コップ底足、  １９  栓ブロック
【図１】
2015107296.tif 000003
【図２】
2015107296.tif 000004
【図３】
2015107296.tif 000005
【図４】
2015107296.tif 000006
【図５】
2015107296.tif 000007
【図６】
2015107296.tif 000008
【図７】
2015107296.tif 000009
【図８】
2015107296.tif 000010
【図９】
2015107296.tif 000011
【図１０】
2015107296.tif 000012
【図１１】
2015107296.tif 000013
【図１２】
2015107296.tif 000014
【図１３】
2015107296.tif 000015
【図１４】
2015107296.tif 000016